(57)【要約】      （修正有）【課題】香水液体の漏れを防止することができる開閉式香水噴霧ノズルの漏れ防止構造を提供する。【解決手段】主に噴霧ノズル１と、締めケーシング２と、内嵌部材３と、回転軸４と、導水管５と、外蓋６と、開閉ディスク９とを含む。回転軸４凹み溝４６と、内嵌部材３の収容空間３２に内設された当て駒によって、回転軸の移動行程を制限する。内嵌部材３の合わせ穴を操作することにより、香水液体流路を制御する。これらにより噴霧ノズル１は開閉ディスク９の回転に追随して回転することがない。【選択図】図４
0003154394.tif 000002
【実用新案登録請求の範囲】
【請求項１】
噴霧ノズルと、上方に凹み環状溝を有する締めケーシングと、
前記締めケーシングを下部の嵌装区間に延設し、導水管を嵌装し、内部の収容空間の上方に結合体を設け、前記結合体を前記収容空間の留め溝に連絡し、前記収容空間の底部に当て駒を設け、底面の偏心場所に合わせ穴を設け、前記合わせ穴を嵌装区間に連絡する内嵌部材と、
前記内嵌部材と前記噴霧ノズルとの間の中心場所に取付け、その頂点を前記噴霧ノズル内部と移動自在に枢接し、内部に備え付ける貫通孔を内嵌部材の収容空間に連絡し、回転軸の外縁部に突起リングを設け、前記突起リング上部の外縁に駆動部を凸設し、回転軸に固定ワッシャを嵌装し、前記固定ワッシャを前記留め溝に内設された取付突起リングによって固定し、回転軸の底部に凹み溝と、突起塊とを設け、前記凹み溝を収容空間内部の前記当て駒の位置と釣り合って設け、前記突起塊を前記内嵌部材の前記合わせ穴の釣り合い位置に設ける回転軸と、
前記締めケーシングの外部に嵌着し、前記締めケーシングに結合された前記内嵌部材と前記回転軸を固定する外蓋と、
前記噴霧ノズルと前記外蓋との間に取付け、中央場所に心棒穴を下向きに延設し、前記心棒穴を前記駆動部外縁に嵌装する開閉ディスクと
を含む開閉式香水噴霧ノズルの漏れ防止構造であって、
前記回転軸底部の前記凹み溝と前記内嵌部材の前記収容空間に内設された前記当て駒によって、前記回転軸の移動行程を制限し、前記開閉ディスクにより、前記回転軸底部の前記突起塊を回し、前記合わせ穴の開放および閉鎖を操作することにより、香水液体流路の導通を制御でき、前記噴霧ノズルは前記開閉ディスクが回転するときに開閉ディスクに追随して回転されないことを特徴とする、開閉式香水噴霧ノズルの漏れ防止構造。
【請求項２】
前記締めケーシング上部の前記凹み環状溝内部に内設された前記内嵌部材の前記結合体において、前記締めケーシングの前記凹み環状溝は平面接続部によって、前記結合体のフラットカット面と互いに組み合わせることを特徴とする、請求項１記載の開閉式香水噴霧ノズルの漏れ防止構造。
【請求項３】
前記回転軸には、前記内嵌部材の収容空間の釣り合い位置において凹み部を凹設することを特徴とする、請求項１記載の開閉式香水噴霧ノズルの漏れ防止構造。
【請求項４】
前記内嵌部材には、前記収容空間に連絡する通気孔を設けることを特徴とする、請求項１記載の開閉式香水噴霧ノズルの漏れ防止構造。
【考案の詳細な説明】
【技術分野】
【０００１】
本考案は一種の組立て便利、液体を均整に噴霧可能な開閉式香水噴霧ノズルに係り、特に噴霧ノズル構造を改良し閉鎖構造を設けることにより、香水瓶の輸送過程および熱接触による漏れ問題を改善できる開閉式香水噴霧ノズルの漏れ防止構造に関するものである。
【背景技術】
【０００２】
良く見かける噴霧式香水瓶の構造は、圧縮ボールによって気体を噴出し、香水液体と混合した上、これらを合わせて噴出するようになっている。
【０００３】
しかしながら、噴霧ノズルの構成品が微小型で、組立が難しい。さらに、構成品を噴霧ノズル本体内部に固定するときに、ずれが発生する。それに加えて、液体流動の流路が狭くて詰まりやすく、香水液体噴霧の不均整が発生する。
【０００４】
そのほか、公知技術の香水瓶に閉塞構造が設けられず、長距離輸送の過程で瓶に詰めていた香水が圧力によって溢れだすことがある。
【考案の概要】
【考案が解決しようとする課題】
【０００５】
小さい角度の回転式開閉ディスクにより、噴霧ノズル内部の通路を完全に閉塞して置き、香水液体の漏れを防止する。使用のときは、開閉ディスクを逆方向へ所定の角度を回し開放して使用に提供する。開閉ディスクを回すときに、噴霧ノズルと連結された圧縮ボールは、外蓋に追随して回転されない。様々なタイプの香水瓶に合わすことができるほか、圧縮ボール位置の改変による包装困難または包装の体積増加が発生せず、閉塞機能を有する開閉式香水噴霧ノズルの漏れ防止構造を提供することは本考案の主な目的である。
【課題を解決するための手段】
【０００６】
上記課題を解決するために、本考案は、噴霧ノズルと、上方に凹み環状溝を有する締めケーシングと、前記締めケーシングを下部の嵌装区間に延設し、導水管を嵌装し、内部の収容空間の上方に結合体を設け、前記結合体を前記収容空間の留め溝に連絡し、前記収容空間の底部に当て駒を設け、底面の偏心場所に合わせ穴を設け、前記合わせ穴を嵌装区間に連絡する内嵌部材と、前記内嵌部材と前記噴霧ノズルとの間の中心場所に取付け、その頂点を前記噴霧ノズル内部と移動自在に枢接し、内部に備え付ける貫通孔を内嵌部材の収容空間に連絡し、回転軸の外縁部に突起リングを設け、前記突起リング上部の外縁に駆動部を凸設し、回転軸に固定ワッシャを嵌装し、前記固定ワッシャを前記留め溝に内設された取付突起リングによって固定し、回転軸の底部に凹み溝と、突起塊とを設け、前記凹み溝を収容空間内部の前記当て駒の位置と釣り合って設け、前記突起塊を前記内嵌部材の前記合わせ穴の釣り合い位置に設ける回転軸と、前記締めケーシングの外部に嵌着し、前記締めケーシングに結合された前記内嵌部材と前記回転軸を固定する外蓋と、前記噴霧ノズルと前記外蓋との間に取付け、中央場所に心棒穴を下向きに延設し、前記心棒穴を前記駆動部外縁に嵌装する開閉ディスクとを含む開閉式香水噴霧ノズルの漏れ防止構造であって、前記回転軸底部の前記凹み溝と前記内嵌部材の前記収容空間に内設された前記当て駒によって、前記回転軸の移動行程を制限し、前記開閉ディスクにより、前記回転軸底部の前記突起塊を回し、前記合わせ穴の開放および閉鎖を操作することにより、香水液体流路の導通を制御でき、前記噴霧ノズルは前記開閉ディスクが回転するときに開閉ディスクに追随して回転されないことを特徴とする、開閉式香水噴霧ノズルの漏れ防止構造である。
【図面の簡単な説明】
【０００７】
【図１】本考案に係る立体外観図である。
【図２】本考案に係る噴霧ノズル構成品の構造外観立体図である。
【図３】本考案に係る噴霧ノズル構造の局所分解立体図である。
【図４】本考案に係る漏れ防止構造の分解立体図である。
【図５】本考案に係る漏れ防止構造の断面視分解図である。
【図６】本考案に係る回転式噴霧ノズルを閉鎖したときの立体図である。
【図７】本考案に係る噴霧ノズルを閉鎖したときの断面図である。
【図８】本考案に係る回転式噴霧ノズルにより、内嵌部材の合わせ穴を開放したときの立体図である。
【図９】本考案に係る噴霧ノズルにより、内嵌部材開放したときの断面図である。
【考案を実施するための形態】
【０００８】
図１ないし４及び図７を合わせて参照する。本考案は主に噴霧ノズル１、締めケーシング２、内嵌部材３、回転軸４、導水管５、外蓋６、開閉ディスク９を含む。そのうち、締めケーシング２に、内嵌部材３と回転軸４が内設され、内嵌部材３の末端部は導水管５が嵌着され、締めケーシング２の外部に外蓋６を設け、開閉ディスク９は外蓋６と噴霧ノズル１との間に取り付ける。
【０００９】
図１ないし図３を合わせて参照する。噴霧ノズル１に内設された本体１１、ノズル１２、空気案内素子１３、空気供給管１４とボール１５をあらかじめに組み立てた後に、キャップ１６と結合する。あらかじめに組み立てる構造は、組立作業の便利を提供し、本体１と結合するときに、ずれが発生しない。
【００１０】
本体１１は水平受入穴１１１と軸方向貫通孔１１２とを含み、２つの孔はT字型で導通されている。水平受入穴１１１は組立後のノズル１２と、空気供給管１４との固定を提供し、空気案内素子１３の軸部材１３１の中心部に通気孔１３４を通し、軸部材１３１の一端面に複数のノッチ１３２を設ける。軸部材１３１の他端の表面に、複数の液体案内溝１３３を設け、軸部材１３１の他端(すなわち、液体案内溝１３３の近傍)は、複数の突起点１３５を設ける。
【００１１】
空気供給管１４の一端は圧縮ボール７に接続し、気体を形成して香水液体を噴出させる。さらに、空気供給管１４の他端に結合孔１４１を設け、結合孔１４１にボール１５を内接し、結合孔１４１の外周部に突起リング１４３を設ける。
【００１２】
噴霧ノズル１を構成品に結合するとき、空気案内素子１３では、軸部材１３１の結合端を空気供給管１４の結合孔１４１に装着し、軸部材１３１の他端はノズル１２の作動室１２１の内部に取付ける。作動室１２１内部に結合された液体案内溝１３３は外部に(一つの区間はノズル１２及び空気供給管１４に結合されず)露出して置き、液体案内溝１３３により香水液体を導き出す。ノズル１２と、空気案内素子１３と、空気供給管１４とを組立完了後、そのまま本体１１の水平受入穴１１１に取り付けすることができる。固定の効果を図るため、水平受入穴１１１のない壁面に設けられた凹み環状溝１１３を空気供給管１４の突起リング１４３と嵌め合わせて固定する。
【００１３】
引き続き、図３と図９を参照する。組立完了後のノズル１２と、空気案内素子１３と、空気供給管１４とを本体１１水平向容孔１１１内部に取り付けるときに、ノズル１２は水平受入穴１１１の先端部に置き、ノズル１２と空気供給管１４との間の空気案内素子１３の軸部材１３１に露出された部分は、軸方向貫通孔１１２と連絡する。ノズル１２と空気供給管１４との間に設けられた空気案内素子１３の前後両端部とも、突起点１３５とノッチ１３２とを設ける。軸部材１３１にノッチ１３２を設けることによって、空気供給管１４より進入する空気が阻止されることを避ける。
【００１４】
供給空気はノッチ１３２より空気案内素子１３の通気孔１３４に入り込む。軸部材１３１他端の突起点１３５は、ノズル１２の作用室１２１と香水液体を通過するための液体案内溝１３３との間に隙間を形成する。空気が空気供給管１４から進入するとき、空気案内素子１３のノッチ１３２と空気供給管１４の結合孔１４１との間に隙間が設けられており、空気は空気案内素子１３より進入するときは、その圧力により、香水液体を本体１１内部に持ち込み、空気と香水液体と混合した後、香水液体は空気案内素子１３の軸部材１３１の突起点１３５と、ノズル１２の作用室１２１との間に設ける隙間より噴出させ、均整な香水噴霧を形成する。
【００１５】
引き続き、図３ないし５と図９を合わせて参照する。噴霧ノズル１下部に結合する漏れ防止構造は主に、締めケーシング２、内嵌部材３、回転軸４、導水管５、外蓋６と開閉ディスク９とを含む。そのうち、外蓋６の内部に締めケーシング２、内嵌部材３及び回転軸４を組み込み、回転軸４と開閉ディスク９と噴霧ノズル１とを嵌着して組み合わせる。
【００１６】
外蓋６内部に取付けられた締めケーシング２内部の螺合部２２は、香水瓶８と組み合わせて結合し、締めケーシング２の上方に凹み環状溝２１を有し、その内周面に結合ギヤ溝２１１を設ける。凹み環状溝２１は内部嵌入部材３の結合装着に提供する。
【００１７】
内嵌部材３の結合体３１は締めケーシング２の凹み環状溝２１と、自らの平面接続部２１１とフラットカット面３１３と互いに組み合わせ、内嵌部材３下部の嵌装区間３３は締めケーシング２に延設し、内嵌部材３の結合体３１の内部に留め溝３１１を設け、留め溝３１１の中心部は収容空間３２に連絡し、収容空間３２下部に一体化接続する嵌装区間３３は導水管５と接続する。
【００１８】
回転軸４の頂点と噴霧ノズル１内部とを移動自在に枢接し、内部に貫通孔４１を設け、外縁部の上下段にＯリング４７を嵌装し、回転軸４上にワッシャ４８を嵌設する。ワッシャ４８を回転軸４の突起リング４３下部と、締めケーシング２との間の結合部に取付けて気密となり、漏れない効果を有する。さらに、突起リング４３上方の外縁部に駆動部４９を凸設する。一方、回転軸４外縁部の中ほど場所に突起リング４３を凸設し、突起リング４３からＯリング４７との間は、液体案内溝４２を軸方向に設ける。回転軸４には内嵌部材３の収容空間３２の相対位置において内側に引き込む凹み部４４を設けて、回転軸４と内嵌部材３の収容空間３２と相対に回すときの摩擦異音を低減できる。
【００１９】
内嵌部材３にある収容空間３２は径方向に通気孔３２１を貫いて設け、収容空間３２の底部に当て駒３２３を設け、底面の偏心場所に合わせ穴３２２を設け、合わせ穴３２２は嵌装区間３３と連絡して接続する。回転軸４を内嵌部材３に取り付けるとき、回転軸４の突起リング４３は内嵌部材３の留め溝３１１に収容され、一部の回転軸４は収容空間３２に取り付ける。回転軸４と内嵌部材３との嵌着の離脱を防止するため、回転軸４上に固定ワッシャ３４を取り付けて、固定ワッシャ３４は留め溝３１１に内設された取付突起リング３１２によって固定して置く、取付突起リング３１２の固定により、回転軸４を内嵌部材３と確実に結合し、回転軸４と内嵌部材３との嵌着の離脱を防止する。
【００２０】
さらに、回転軸４と内嵌部材３とを締めケーシング２に取り付けた後、締めケーシング２外部は外蓋６によって、これらの構成品を固着させる。外蓋６と噴霧ノズル１との間の開閉ディスク９の中心部場所に心棒穴９１を下向きに延設し、心棒穴９１は駆動部４９の外縁部に嵌装して固定する。図６と図７に示すように、回転軸４の頂点と噴霧ノズル１の内部は移動自在に枢接されているため、開閉ディスク９が回転するときに、回転軸４と合わせて駆動回転する。回転軸４底部に設けられる凹み溝４６はほぼ９０°にて、結合する内嵌部材３の収容空間３２に内設される当て駒３２３の釣り合いに位置取付け、回転軸４の回転によって回転軸４底部に備え付けの突起塊４５の作動を制御し、回転軸４の回転角度を制限する。
【００２１】
図６と図７を合わせて参照する。開閉ディスク９がほぼ９０°角度を回転されるときに、駆動部４９を駆動し回転軸４を回転させると共に、回転軸４底部の突起塊４５を内嵌部材３の合わせ穴３２２に塞いで、香水液体流出の合わせ穴３２２を閉鎖し、香水液体を香水瓶８内部に引き止められて溢れない。
【００２２】
図８と図９を合わせて参照する。前記構造は開閉ディスク９によって回転軸４を回転させて、香水瓶の流出を防止する。一方、噴霧ノズル１を開放したい場合は、開閉ディスク９を逆方向へほぼ９０°角度を回すと、回転軸４底部の突起塊４５と内嵌部材３の合わせ穴３２２を引き離し、突起塊４５を収容空間３２に支えて置き、香水液体を通過する流路を形成して、香水液体を回転軸４内部の貫通孔４１に導き、噴霧ノズル１によって香水液体を均整に噴出させる。
【００２３】
このほか、空気の対流を図り、溢れだすことを防止するため、内嵌部材３に通気孔３２１を設ける。
【００２４】
図１、図７と図９を合わせて参照する。本考案によれば、回転角度による香水液体流出の開閉制御ができるため、未使用状態または輸送するとき、開閉ディスク９を回し回転軸４を移動させ、内部流路を閉鎖しておくと、輸送過程及び高温、高圧状態においても、香水が溢れない。また、使用するときは、開閉ディスク９を所定の角度に回すことで、回転軸４によって流路を開放し、香水液体を噴出させる。
【００２５】
噴霧ノズル１と回転軸４の頂点と枢接されているため、開閉ディスク９が回されるとき、噴霧ノズル１に接続されている圧縮ボール７は開閉ディスク９に追随して回転されないことにより、圧縮ボール７を香水瓶８の一端に固定させ、様々なタイプの香水瓶８に適用できる。
【符号の説明】
【００２６】
１         噴霧ノズル
１１       本体
１１１     水平受入穴
１１２     軸方向貫通孔
１１３     凹み環状溝
１１４     環状溝
１２       ノズル
１２１     作動室
１３       空気案内素子
１３１     軸部材
１３２     ノッチ
１３３     液体案内溝
１３４     通気孔
１３５     突起点
１４       空気供給管
１４１     結合孔
１４３     突起リング
１５       ボール
１６       キャップ
２         締めケーシング
２１       凹み環状溝
２１１     平面接続部
３         内嵌部材
３１       結合体
３１１     留め溝
３１２     取付突起リング
３１３     フラットカット面
３２       収容空間
３２１     通気孔
３２２     合わせ穴
３２３     当て駒
３３       嵌装区間
３４       固定ワッシャ
４         回転軸
４１       貫通孔
４２       液体溝
４３       突起リング
４４       凹み部
４５       突起塊
４６       凹み溝
４７       Ｏリング
４８       ワッシャ
４９       駆動部
５         導水管
６         外蓋
７         圧縮ボール
８         香水瓶
９         開閉ディスク
９１       心棒穴
【図１】
0003154394.tif 000003
【図２】
0003154394.tif 000004
【図３】
0003154394.tif 000005
【図４】
0003154394.tif 000006
【図５】
0003154394.tif 000007
【図６】
0003154394.tif 000008
【図７】
0003154394.tif 000009
【図８】
0003154394.tif 000010
【図９】
0003154394.tif 000011